(57)【要約】【課題】発光源の効率を向上させ、寿命を延長し、発光源の尺寸が散熱問題により制限されず、発光源の応用層面が更に多元化することができる高効率の散熱構造を有する発光装置を提供する。【解決手段】本発明の高効率の散熱構造を有する発光装置は、蒸気循環式微熱均温器からなり、蒸気循環式微熱均温器表面上に、電極回路を設け、この電極回路と蒸気循環式微熱均温器の間に絶縁層を設置して、電極回路と蒸気循環式微熱均温器を電気的に隔絶している。また、蒸気循環式微熱均温器表面上に、複数の発光源を設置し、この発光源は、蒸気循環式微熱均温器及び電極回路と電気的に接続され、通電時、発光源を発光させる。【選択図】図４
2005101658.tif 000002
【特許請求の範囲】
【請求項１】
高効率の散熱構造を有する発光装置であって、
第一表面と第二表面とからなり、前記第一表面上に、少なくとも一つの電極回路を設けている蒸気循環式微熱均温器と、
前記電極回路と前記蒸気循環式微熱均温器の間に設置され、前記電極回路と前記蒸気循環式微熱均温器を電気的に隔絶する絶縁層と、
前記蒸気循環式微熱均温器の前記第一表面上に設置され、前記蒸気循環式微熱均温器及び前記電極回路と電気的に接続し、通電時、前記発光源を発光させる少なくとも一つの発光源と、
からなることを特徴とする高効率の散熱構造を有する発光装置。
【請求項２】
前記発光源は発光ダイオードであることを特徴とする請求項１に記載の高効率の散熱構造を有する発光装置。
【請求項３】
前記発光源が前記蒸気循環式微熱均温器及び前記電極回路と電気的に接続する方式は、ワイヤーボンディング方式であることを特徴とする請求項１に記載の高効率の散熱構造を有する発光装置。
【請求項４】
前記発光源が前記蒸気循環式微熱均温器及び前記電極回路と電気的に接続する方式は、フリップチップ方式であることを特徴とする請求項１に記載の高効率の散熱構造を有する発光装置。
【請求項５】
前記発光源が発光する時、熱エネルギーを生じ、前記熱エネルギーは、前記蒸気循環式微熱均温器により吸収され、前記蒸気循環式微熱均温器は、更に、散熱装置を設置して、前記蒸気循環式微熱均温器の前記熱エネルギーを除去することを特徴とする請求項１に記載の高効率の散熱構造を有する発光装置。
【請求項６】
前記散熱装置は散熱フィレ、導熱管、及び、その混合体の中のどれかであることを特徴とする請求項５に記載の高効率の散熱構造を有する発光装置。
【請求項７】
前記散熱装置が前記散熱フィレである場合、前記散熱装置は、前記蒸気循環式微熱均温器の前記第二表面上か、或いは、前記蒸気循環式微熱均温器が前記発光源を未設置の領域に設置されることを特徴とする請求項６に記載の高効率の散熱構造を有する発光装置。
【請求項８】
前記散熱装置が前記導熱管である場合、前記散熱装置は、前記蒸気循環式微熱均温器の側辺上か、或いは、前記蒸気循環式微熱均温器が前記発光源を未設置の領域に設置されることを特徴とする請求項６に記載の高効率の散熱構造を有する発光装置。
【請求項９】
前記発光源上に保護層を被覆し、前記発光源を保護することを特徴とする請求項１に記載の高効率の散熱構造を有する発光装置。
【請求項１０】
前記蒸気循環式微熱均温器の材質は、銅、ニッケル、アルミ、及び、それらの合金等の金属であることを特徴とする請求項１に記載の高効率の散熱構造を有する発光装置。
【請求項１１】
前記電極回路の材質は金属であることを特徴とする請求項１に記載の高効率の散熱構造を有する発光装置。
【請求項１２】
前記絶縁層は、高分子材料、或いは、セラミック材のどちらかであることを特徴とする請求項１に記載の高効率の散熱構造を有する発光装置。
【発明の詳細な説明】
【技術分野】
【０００１】
本発明は、発光源構造に関するものであって、特に、発光源を直接、散熱装置表面上に設置した高効率の散熱構造を有する発光装置に関するものである。
【背景技術】
【０００２】
最近の液晶ディスプレイのバックライトは、多くが、冷陰極管蛍光ランプ（COLD  CATHODE  FLUORESCENT  LAMP、CCFL）であるが、科学技術の発展に伴い、発光ダイオード（LIGHT  EMITTING  DIODE、LED）により代替されて来ている。主な原因は、CCFLの薄型化が限界に達していることにある。また、CCFLは６００ボルトの電圧時に干渉を発生し、CCFLの水銀の汚染問題も議論となっていることもあり、近い将来、使用禁止になる可能性もある。更に、CCFLの色彩飽和度と自然光対比は７０％ほどだけであるので、LEDがCCFLに取って代わる日も近い。
【０００３】
現在のLEDの応用は非常に広範囲に渡り、音響パネルのバックライト、携帯電話のボタンのバックライト、及び、携帯電話スクリーンのパネル等がある。しかし、LEDの輝度を向上させるために、LEDを照明上に応用するが、LEDの輝度を向上させると同時に、LEDの電力消耗が大きくなり、散熱問題も生じる。よって、現在使用するLEDの製品応用上、制限を受ける。如何にして、LEDの散熱問題を効果的に解決するかが、重要な課題となっている。
【発明の開示】
【発明が解決しようとする課題】
【０００４】
解決しようとする課題は、上述のような問題を解決することができる高効率の散熱構造を有する発光装置を提供することにある。
【０００５】
本発明は、高効率の散熱構造を有する発光装置を提供し、高効率で、快速に発光源の熱量を除去することを目的とする。
【０００６】
本発明は、高効率の散熱構造を有する発光装置を提供し、効果的に発光源の散熱問題を解決し、発光源の応用層面の更なる多元化を達成することをもう一つの目的とする。
【課題を解決するための手段】
【０００７】
上述の目的を達成するため、本発明の高効率の散熱構造を有する発光装置は、蒸気循環式微熱均温器からなり、蒸気循環式微熱均温器は第一表面と第二表面とからなり、第一表面上に、少なくとも一つの電極回路を設け、この電極回路と蒸気循環式微熱均温器の間には絶縁層を設置して、電極回路と蒸気循環式微熱均温器を電気的に隔絶している。また、蒸気循環式微熱均温器の第一表面上に、少なくとも一つの発光源を設置し、この発光源は、蒸気循環式微熱均温器と電気的に接続され、通電時、発光源を発光させる。
【発明の効果】
【０００８】
本発明の高効率の散熱構造を有する発光装置は、高効率で、快速に発光源の熱量を除去すると共に、効果的に発光源の散熱問題を解決し、発光源の応用層面の更なる多元化を達成するという利点がある。
【発明を実施するための最良の形態】
【０００９】
図１及び図２で示されるように、本発明の高効率の散熱構造を有する発光装置は、蒸気循環式微熱均温器１０からなり、蒸気循環式微熱均温器１０内に、作動流体を注入すると共に、この蒸気循環式微熱均温器を真空状態に維持され、作動流体が変化することにより、迅速な均熱の目的を達成する。この蒸気循環式微熱均温器１０の材質は、銅、ニッケル、及び、その合金等の金属からなる。この蒸気循環式微熱均温器１０は、上表面１２と下表面（図示しない）を有し、蒸気循環式微熱均温器１０の上表面１２上には、電極回路１４を設置している。この電極回路１４の材質は、アルミ、或いは、銅で、電極回路１４と蒸気循環式微熱均温器１０の間には、一層の絶縁層１６を設置して、電極回路１４と蒸気循環式微熱均温器１０を電気的に隔絶している。この絶縁層１６は、高分子材料、或いは、セラミック等の材料からなる。蒸気循環式微熱均温器１０の上表面１２上に、複数の発光源１８を設置し、各発光源１８は、蒸気循環式微熱均温器１０と電気的に接続され、発光源１８は発光ダイオード（LED）である。更に、ワイヤーボンディングにより、各発光源１８と電極回路１４を電気的に接続し、電源端１９の正負極を連接する。これにより、各発光源１８の通電時、この電極回路１４と蒸気循環式微熱均温器１０が通電回路を形成し、各発光源１８を発光させる。この他、蒸気循環式微熱均温器１０の形成は、蒸気循環式の導熱管により代替することも出来、各発光源１８と電極回路１４の電気的接続方式は、フリップチップ方式で連結してもよい。
【００１０】
各発光源１８は発光時に大量の熱エネルギーを生成し、この熱エネルギーは、大部分が、蒸気循環式微熱均温器１０の上表面１２から、気相循環方式により、快速に、下表面に伝導される。よって、蒸気循環式微熱均温器１０の下表面上に散熱装置を設置して、蒸気循環式微熱均温器１０が吸収する熱エネルギーを除去する。図３と図４を参照すると、この散熱装置は、散熱フィレ２０、或いは、導熱管２２から選択でき、散熱フィレ２０を選択する場合、発光源１８が設置された蒸気循環式微熱均温器１０下表面を、散熱フィレ２０上に設置する。設置時、蒸気循環式微熱均温器１０と散熱フィレ２０間に散熱ゲルを塗布し、接触抵抗を減少させる。これにより、散熱フィレ２０は、蒸気循環式微熱均温器１０の熱エネルギーを除去する。導熱管２２を選択する場合、導熱管２２を蒸気循環式微熱均温器１０の側辺上に設置し、この時、蒸気循環式微熱均温器１０の側辺に凹槽２４を設けて、導熱管２２がその中に容置できるようにして、蒸気循環式微熱均温器１０の熱エネルギーを除去する。また、更に、この発光源構造を扁平にする。蒸気循環式微熱均温器１０に散熱装置２０を設置した後、各発光源１８上に、保護層（図示しない）を被覆し、発光源１８が損傷することのないように保護する。このようにして、高効率の散熱構造を有する発光装置が完成する。
【００１１】
使用時、電極回路１４の二つの電極が電源端１９の正負極を連接し、発光源１８を発光させる。発光源１８の発光と同時に生成される熱エネルギーは、蒸気循環式微熱均温器１０により、迅速に伝達吸収され、更に、散熱装置により除去されるので、本発明は、高効率、且つ、快速に、発光源１８の熱量を除去すると共に、設置する発光源１８の密集度と尺寸は、散熱問題のせいで制限されることがなく、発光源１８の応用層面が更に多元化する。
【００１２】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明明の保護範囲は、特許請求の範囲で指定した内容を基準とする。
【図面の簡単な説明】
【００１３】
【図１】本発明の立体図である。
【図２】本発明の断面図である。
【図３】本発明の散熱フィレを結合した立体図である。
【図４】本発明の導熱管を結合した立体図である。
【符号の説明】
【００１４】
１０…蒸気循環式微熱均温器
１２…上表面
１４…電極回路
１６…絶縁層
１８…発光源
１９…電源端
２０…散熱フィレ
２２…導熱管
２４…凹槽    
【図１】
2005101658.tif 000003
【図２】
2005101658.tif 000004
【図３】
2005101658.tif 000005
【図４】
2005101658.tif 000006